(57)【要約】【課題】配線・配管材受具から引き出される配線・配管材がその自重によって引出口で急激に屈曲し、断線するのを防止し、また、前記配線・配管材の重量によって前記配線・配管材受具が変形するのを防止する。【解決手段】金属線材によって網状に形成された受具２の隣合う線材のうち、一方の線材である異形筋線材５に固定される固定部１２と、受具２の配線・配管材布設面より下方で側方に突出した位置において、受具２の引出口８から引き出されたケーブルＣを支持する支持部１３と、他方の線材である親筋線材３ａに当接する当接部１４とを備え、前記当接部１４は、前記支持部１３にケーブルＣの荷重が加わることによる前記固定部１２を支点とする該支持部１３の回動を防止して、前記支持部１３を受具２より突出した所定位置に保持するように当接するものとした。【選択図】図３
2008199757.tif 000002
【特許請求の範囲】
【請求項１】
金属線材を溶接して網状に形成され底壁と側壁とを備えた配線・配管材受具の線材間に形成された引出口から引き出される配線・配管材を支持する配線・配管材引出支持具であって、
隣合う線材のうち、一方の線材に固定される固定部と、
前記受具の配線・配管材布設面より下方において、前記受具の引出口から引き出された配線・配管材を支持する支持部と、
他方の線材に当接する当接部とを備え、
前記当接部は、前記一方の線材に前記固定部が取付けられた状態で、前記支持部に前記配線・配管材の荷重が加わることによって該支持部が前記固定部を支点に下方に回動するのを防止して、前記支持部を前記所定の位置に保持するように当接することを特徴とする配線・配管材引出支持具。
【請求項２】
前記支持部は、前記受具の配線・配管材布設面より下方でかつ側方に突出した位置において、前記受具の引出口から引き出された配線・配管材を支持することを特徴とする請求項１に記載の配線・配管材引出支持具。
【請求項３】
前記固定部は、前記受具の側壁に配設された線材に固定されることを特徴とする請求項２に記載の配線・配管材引出支持具。
【請求項４】
前記支持部は、前記受具の引出口を形成する線材間でかつ配線・配管材布設面より下方において、前記受具の引出口から引き出された配線・配管材を支持することを特徴とする請求項１に記載の配線・配管材引出支持具。
【請求項５】
前記固定部は、左右に一対設けられており、その間隔は、前記一方の線材に沿う方向の位置ずれを防止すべく、引出支持具の両側に配設されている線材の間隔と略同一幅に形成されていることを特徴とする請求項１乃至請求項４のいずれかに記載の配線・配管材引出支持具。
【請求項６】
配線・配管材の布設路に沿って配設された左右一対の親桁と、前記親桁間に架設され前記配線・配管材が載置される子桁とを備えた配線・配管材受具の該子桁間に形成された引出口から下方に引き出される配線・配管材を支持する配線・配管材引出支持具であって、
隣合う前記子桁のうち、一方の子桁に固定される固定部と、
前記受具の引出口を形成する子桁間でかつ配線・配管材布設面より下方において、前記受具の引出口から引き出された配線・配管材を支持する支持部と、
他方の子桁に当接する当接部とを備え、
前記当接部は、前記一方の子桁に前記固定部が取付けられた状態で、前記支持部に前記配線・配管材の荷重が加わることによって該支持部が前記固定部を支点に下方に回動するのを防止して、前記支持部を前記所定の位置に保持するように当接することを特徴とする配線・配管材引出支持具。
【請求項７】
金属線材で構成されたことを特徴とする請求項１乃至請求項６のいずれかに記載の配線・配管材引出支持具。
【請求項８】
前記固定部は、かしめることにより固定されることを特徴とする請求項１乃至請求項７のいずれかに記載の配線・配管材引出支持具。
【請求項９】
前記支持部は、下方に湾曲する円弧状に形成されたことを特徴とする請求項１乃至請求項８のいずれかに記載の配線・配管材引出支持具。
【請求項１０】
金属線材を溶接して網状に形成されて底壁と側壁とを備えた配線・配管材受具と、
請求項１乃至請求項５、請求項７乃至請求項９のいずれかに記載の配線・配管材引出支持具と
を備えたことを特徴とする配線・配管材引出装置。
【請求項１１】
配線・配管材の布設路に沿って配設された左右一対の親桁と、前記親桁間に架設され、前記配線・配管材が載置される子桁とを備えた配線・配管材受具と、
請求項６乃至請求項９のいずれかに記載の配線・配管材引出支持具と
を備えたことを特徴とする配線・配管材引出装置。
【発明の詳細な説明】
【技術分野】
【０００１】
本発明は、ケーブル等の配線や給水管、給湯管等の配管材が布設方向に沿って載置される配線・配管材受具から側方或いは下方に引き出される前記配線・配管材を引出部において支持する配線・配管材引出支持具及び配線・配管材引出装置に関するものである。
【背景技術】
【０００２】
従来より、建物や構内等において前記配線・配管材は前記受具に載置されて天井下や建物壁に沿って布設されている。そして、機械や電気盤等の周辺位置において、前記受具の長手方向の任意の位置から下方に引き出され、前記機械や電気盤等に配線、配管される。前記配線・配管材は前記受具から一旦側方に引き出されてから下方に垂下し、或いは受具から直接下方に引き出されて垂下する。ここで、前記受具には、金属線材を溶接して網状に形成されたものや、配線・配管材の布設路に沿って配設された左右一対の親桁と、前記親桁間に架設され、前記配線・配管材が載置される子桁とを備えたものなどがある。配線・配管材は、これらの受具の線材間や子桁間から引き出される。
【０００３】
図１１は従来の、受具から配線・配管材を引き出した状態を示す。図１１において、配線材であるケーブルＣを収容している受具２は金属線材を溶接して縦横に網状に形成されたいわゆるメッシュタイプの受具である。前記受具２は、幅方向に所定間隔をおいて長手方向に配設された複数の断面円形状の金属線材からなる親筋線材３と、これと直交して長手方向に所定間隔をおいて幅方向に配設された複数の断面円形状でコ字状に屈曲形成された金属線材からなる子筋線材４と、前記子筋線材４の上端部にこれと直交して長手方向に配設された左右一対の断面略小判形状の金属線材からなる異形筋線材５とからなり、これらの線材の交差部分が溶接されることによって一体に組付けられている。
【０００４】
このように形成された受具２に載置されたケーブルＣは前記受具２の幅方向端部の親筋線材３ａと異形筋線材５との間の引出口８から側方に引き出され、下方に垂下した後、機械や電源盤に接続される。
【０００５】
また、配線・配管材の布設路に沿って配設された左右一対の親桁と、前記親桁間に架設され、前記配線・配管材が載置される子桁とを備えて梯子状に形成されたいわゆるラダータイプの受具の側方から同様にしてケーブルを引き出すものが、例えば、特開２００１−７８３２６公報に掲載されている。
【特許文献１】特開２００１−７８３２６公報
【発明の開示】
【発明が解決しようとする課題】
【０００６】
しかし、前記メッシュタイプの受具２において、側方から引き出されるケーブルＣは、一般に重量が大きく、その自重によって、引出口８から引き出される箇所で下方に急激に屈曲或いは折曲し易く、断線する恐れがあった。  
【０００７】
また、受具２の側方の引出口８において、引き出されるケーブルＣは端部の１本の親筋線材３ａのみで支持し、この部分に荷重が集中するため、載置強度面から、前記１本の親筋線材３ａが折れ曲がることがあり、場合によっては子筋線材４との溶接が外れてしまう危険もあった。
【０００８】
ところが、従来の前記メッシュタイプの受具２においては、このような不具合を解消するための取付部材は存在しなかった。
【０００９】
一方、前記特開２００１−７８３２６公報に掲載のラダータイプの受具は、ケーブルは強度の大きい親桁の上端に一旦持ち上げられて側方に引き出されるので、前記メッシュタイプの受具２の親筋線材３ａのようなケーブルの荷重による載置強度上の問題は生じない。しかし、このラダータイプの受具は、親桁の上部にケーブル受金具が取付けられ、ケーブルは、一旦前記ケーブル受金具に載置されてから側方に引き出されるものの、前記親桁の上部を乗り越えなければならないので、前記親桁の上部のケーブル受金具に乗り上げる部分で急激に屈曲していた。
【００１０】
また、従来のラダータイプの受具においては、前述のように、側方に引き出されたケーブルをケーブル受金具等で支持するものはあったが、子桁間から直接下方に引き出される配線・配管材を支持する支持具は存在しなかった。
【００１１】
そこで、本発明は、配線・配管材受具から引き出される配線・配管材がその自重によって引出口で急激に屈曲し、断線するのを防止でき、また、前記配線・配管材の重量によって前記配線・配管材受具が変形するのを防止できる配線・配管材引出支持具及び配線・配管材引出装置の提供を課題とするものである。
【課題を解決するための手段】
【００１２】
請求項１の配線・配管材引出支持具は、金属線材を溶接して網状に形成され底壁と側壁とを備えた配線・配管材受具の線材間に形成された引出口から引き出される配線・配管材を支持するものであって、隣合う線材のうち、一方の線材に固定される固定部と、前記受具の配線・配管材布設面より下方において、前記受具の引出口から引き出された配線・配管材を支持する支持部と、他方の線材に当接する当接部とを備えている。そして、前記当接部は、前記一方の線材に前記固定部が取付けられた状態で、前記支持部に前記配線・配管材の荷重が加わることによって該支持部が前記固定部を支点に下方に回動するのを防止して、前記支持部を前記所定の位置に保持するように当接するものである。
【００１３】
前記受具はいわゆるメッシュタイプのものである。前記配線・配管材は受具を構成する線材間を引出口として側方や下方から外部に引き出され、下方の機械や電気盤等に向けて垂下する。前記配線・配管材は機械や電気盤等に電源を供給したりするものであるから、一般に径が大きく重量があり、受具の引出口から引き出されたとき、その部分で急激に折れ曲がり易いが、本発明の引出支持具は、受具の布設面より下方において配線・配管材を支持する支持部を備えているので、引出口における配線・配管材は緩やかな曲線を描いて下方に垂下する。
【００１４】
ここで、前記引出支持具は支持部が布設面より下方で、この支持部に重量のある配線・配管材が支持される。このため、一方の線材に固定した固定部を支点に下方に回動するモーメントが生じる。ところが、前記引出支持具の当接部が他方の線材に当接することによって反力を受け、その反力によるモーメントが前記配線・配管材の重量によるモーメントと釣り合って、前記引出支持具は下方への回動が防止される。これにより、前記支持部は受具の配線・配管材布設面より下方の所定位置に保持される。なお、前記支持部の突出長さ等の条件は、配線・配管材の重量、材質、剛性等を考慮して適宜定められる。
【００１５】
更に、請求項１の発明によれば、前記他方の線材が受具の幅方向の端部に配設されて引出部において配線・配管材の重量が集中的に加わる線材に該当する場合、引き出された配線・配管材は引出支持具によっても支持され、この引出支持具は一方の線材に固定されて支持されるので、結局、受具の引出部において、前記配線・配管材の重量は前記一方の線材と他方の線材とで分散して支持されることとなる。つまり、前記他方の線材は引出支持具が支持される前記一方の線材が負担する分だけ荷重は軽減されることとなる。その結果、他方の線材に配線・配管材の荷重が集中的に加わることによる該他方の線材の変形は回避される。
【００１６】
なお、前記引出支持具が固定される一方の線材は、受具の側面の上端部に配設された線材、或いは前記受具の底部を構成する線材等適宜選択することができ、前記引出支持具は受具の側部の上端部の線材に吊設したり、底面に沿って取付けることができる。また、前記他方の線材は、受具の幅方向の端部に配設されて引出部において配線・配管材の重量が集中的に加わる線材に限られるものではない。
【００１７】
請求項２の配線・配管材引出支持具は、支持部が、受具の配線・配管材布設面より下方で側方に突出した位置において、前記受具の引出口から引き出された配線・配管材を支持するものである。つまり、前記支持部は、受具の斜め下方に突出した位置において配線・配管材を支持する。
【００１８】
請求項３の配線・配管材引出支持具は、固定部が、受具の側壁に配設された線材に固定されるものである。
【００１９】
請求項４の配線・配管材引出支持具は、支持部が、受具の引出口を形成する線材間でかつ配線・配管材布設面より下方において、前記受具の引出口から引き出された配線・配管材を支持するものである。
【００２０】
請求項５の配線・配管材引出支持具は、特に、固定部が左右に一対設けられており、その間隔は、一方の線材に沿う方向の位置ずれを防止すべく、前記引出支持具の両側に配設されている線材の間隔と略同一幅に形成されている。ここで、略同一幅とは両側の線材の間隔と全く同一でもよいし、これより僅かに大きく、或いは逆に僅かに小さくてもよい意である。要するところ、一対の固定部の間隔は両側に配設されている線材との関連で一方の線材に沿う方向に位置ずれしない大きさであればよい。なお、左右一対の固定部の間隔が両側の線材の間隔と全く同一に形成した場合は、前記左右一対の固定部の間隔を弾性的に両側方に拡張或いは縮小することにより受具の一方の線材に固定することができる。
【００２１】
請求項６の配線・配管材引出支持具は、配線・配管材の布設路に沿って配設された左右一対の親桁と、前記親桁間に架設され、前記配線・配管材が載置される子桁とを備えた配線・配管材受具の該子桁間に形成された引出口から下方に引き出される配線・配管材を支持するものである。前記受具は梯子状に形成されたいわゆるラダータイプのものである。請求項６の引出支持具は、基本的に請求項１の引出支持具と同様の構成であり、受具の形態において、及び配線・配管材が受具の子桁間から下方のみに引き出される点において相違する。したがって、基本的には、請求項１と同様に作用する。
【００２２】
請求項７の配線・配管材引出支持具は、特に、金属線材で構成されている。前記金属線材は断面円形状、小判形状、角形状等に形成される。
【００２３】
請求項８の配線・配管材引出支持具は、特に、固定部が、かしめることにより固定されるものである。具体的には、先端部が略Ｕ字状等に形成され、その両側を工具を使用して挟圧されることにより、間隔が狭められて固定される。
【００２４】
請求項９の配線・配管材引出支持具は、特に、支持部が、下方に湾曲する円弧状に形成されている。なお、幅方向の中間位置において最も低くなるようにするのが望ましい。
【００２５】
請求項１０の配線・配管材引出装置は、金属線材を溶接して網状に形成され底壁と側壁とを備えた配線・配管材受具と、請求項１乃至請求項５、請求項７乃至請求項９のいずれかに記載の配線・配管材引出支持具とを備えたものである。
【００２６】
請求項１１の配線・配管材引出装置は、配線・配管材の布設路に沿って配設された左右一対の親桁と、前記親桁間に架設され、前記配線・配管材が載置される子桁とを備えた配線・配管材受具と、請求項６乃至請求項９のいずれかに記載の配線・配管材引出支持具とを備えたものである。
【発明の効果】
【００２７】
請求項１の発明は、受具の配線・配管材布設面より下方において、配線・配管材を支持する支持部を備えているので、引出口における配線・配管材は緩やかな曲線を描いて下方に垂下する。これにより、配線・配管材がその自重により受具の引出口において急激に屈曲したり折れ曲がるのを防止でき、その断線を防止できる。
【００２８】
また、他方の線材に、引き出される配線・配管材の荷重が集中的に加わる場合に、引出支持具を介して配線・配管材の荷重を一方の線材と他方の線材とで分散して支持できるので、前記他方の線材に配線・配管材の重量が集中的に加わることによる変形を防止できる。
【００２９】
請求項２の発明は、支持部が、受具の配線・配管材布設面より下方でかつ側方に突出した位置において、配線・配管材を支持するものであるから、特に、受具の底壁に配線・配管材が既に布設されていても、引出支持具を支障なく取付けることができる。また、引出支持具を受具に取付けた後に該受具の布設面上に配線・配管材を布設する際に、前記引出支持具の存在が支障となることはない。
【００３０】
請求項３の発明は、固定部が、受具の側壁に配設された線材に固定されるので、特に、引出支持具を受具の側方から簡単に取付けることができる。
【００３１】
請求項４の配線・配管材引出支持具は、支持部が、受具の引出口を形成する線材間でかつ配線・配管材布設面より下方において、配線・配管材を支持するものであるから、特に、引出支持具を受具に取付けた後に該受具の布設面上に配線・配管材を布設する際に、前記引出支持具の存在が支障となることはない。
【００３２】
請求項５の発明は、左右に一対設けられた固定部の間隔が、両側に配設されている線材の間隔と略同一幅に形成されているから、引出支持具は前記両側の線材に規制され、一方の線材に沿う方向に位置ずれするのが防止され、受具の引出口の一定位置に安定して保持される。
【００３３】
請求項６の発明は、基本的には請求項１の引出支持具と同様の構成であるから、請求項１と同様の効果を奏する。
【００３４】
請求項７の発明は、引出支持具が、金属線材から構成されているから、強度、剛性があり、軽量で簡易な構造の引出支持具を安価に形成することができる。
【００３５】
請求項８の発明は、固定部が、かしめられることにより固定されるものであるから、簡易な構成で、通常の工具を使用して簡単に一方の線材に固定できる。
【００３６】
請求項９の発明は、支持部が、下方に湾曲する円弧状に形成されているから、受具から引き出されて前記支持部上に載置された配線・配管材は、その自重により自ずと中央の凹み部分に移動し、この位置で安定して支持される。また、配線・配管材が前記支持部の端部寄りに載置されたときは引出口に隣接する他の線材と接触して擦ったりする恐れがあるところ、それを回避して配線・配管材の傷付きを防止できる。
【００３７】
請求項１０の発明は、請求項１に記載の配線・配管材受具と、請求項１乃至請求項５、請求項７乃至請求項９のいずれかに記載の配線・配管材引出支持具とを備えたものであるから、請求項１乃至請求項５、請求項７乃至請求項９と同様の効果を奏する。
【００３８】
請求項１１の発明は、請求項６に記載の配線・配管材受具と、請求項６乃至請求項９のいずれかに記載の配線・配管材引出支持具とを備えたものであるから、請求項６乃至請求項９と同様の効果を奏する。
【発明を実施するための最良の形態】
【００３９】
〈第一実施形態〉
以下、本発明の第一実施形態を図１乃至図５に基づいて説明する。ここで、図１は本発明の実施形態の配線・配管材引出装置を示し、図２は図１の配線・配管材引出支持具を示し、図３は配線・配管材の支持状態を示す。図４は変形例、図５は別の引出支持具を示す。
【００４０】
図１において、配線・配管材の引出装置１は配線・配管材としてのケーブルＣを収容している受具２と、前記受具２に取付けられる配線・配管材の引出支持具１１とで構成されている。この引出装置１は前記受具２の長手方向の途中において前記ケーブルＣが側方に引き出される箇所に取付けられる。
【００４１】
前記受具２は金属線材を溶接して縦横に網状に形成したメッシュタイプの受具である。この受具２は、その幅方向に所定間隔をおいて長手方向に配設された複数の断面円形状の金属線材からなる親筋線材３と、これと直交して長手方向に所定間隔をおいて幅方向に配設された複数の断面円形状でコ字状に屈曲形成された金属線材からなる子筋線材４と、前記子筋線材４の上端部にこれと直交して長手方向に配設された左右一対の断面略小判形状の金属線材からなる異形筋線材５とからなり、これらの線材の交差部分が溶接されることによって一体に組付けられている。
【００４２】
前記受具２の子筋線材４は前記親筋線材３の上側に載置されている。更に、断面が略小判形の前記異形筋線材５は幅方向の両側面が平行面に形成されており、これにより、前記子筋線材４との接触面積が増し、溶接による接合強度が高められている。また、両側面が平面に形成されていることにより、前記異形筋線材５に前記引出支持具１１が取付けられたとき、後述する引出支持具１１の固定部１２が前記異形筋線材５への固定部分を支点に上下方向に回動するのが規制される。
【００４３】
そして、前記受具２は全体として、前記親筋線材３及び子筋線材４が配設されてなる底壁６と、前記底壁６の両側に立設された側壁７とが形成されている。更に、前記側壁７の任意の箇所において隣合う子筋線材４間に、内部に収容されている前記ケーブルＣが側方から引き出される引出口８を有する。この引出口８を含めた周辺部分は引出部９となっている。
【００４４】
一方、前記受具２の引出口８に取付けられた引出支持具１１は、図２に示すように、１本の断面円形状の金属線材を折曲げ加工して左右対称に形成されている。この引出支持具１１は、前記受具２を構成する隣合う線材のうちの一方の線材に固定される左右一対の固定部１２と、前記受具２の底壁６におけるケーブルＣの布設面より下方でかつ側方に突出した位置において、即ち受具２の斜め下方に突出した位置において、前記受具２から引き出されたケーブルＣを支持する支持部１３と、他方の線材に当接する左右一対の当接部１４とを備えている。
【００４５】
本実施形態において、前記受具２の隣合う線材は、前記受具２の幅方向において引出口８側の端部に長手方向に沿って配設された親筋線材３ａ、及びこれに隣接する、側壁７の上端部に長手方向に沿って配設された異形筋線材５であって、いずれもケーブルＣの引出方向と直交する方向に配設されている。そして、一方の線材とは、前記異形筋線材５であり、他方の線材とは、前記引出口８側の親筋線材３ａである。
【００４６】
前記引出支持具１１の形態は、具体的には、前記左右一対の固定部１２はＵ字状に屈曲するフック状に形成され、図２(b)に示すように、その屈曲した端部側にかしめ代ｔが設けられており、前記受具２の上方から異形筋線材５に嵌挿された後、工具を使用してかしめられるようになっている。前記固定部１２の下方は一旦斜め後方に屈曲した後、真下に垂下し、この部分は前記引出口８側の親筋線材３ａの前面に当接し、前記当接部１４を構成している。その後、前方即ち受具２の側方に向けて直角に屈曲し、前記固定部１２を通る垂直線を越えて側方に突出する。前記受具２からの突出長さは前記受具２から引き出されるケーブルＣについて望まれる曲がりの程度即ち曲率を考慮して決定される。そして、前方に向けて側方に突出した左右の部分の更に先の部分は、図２(c)に示すように、下方に湾曲した円弧状の線材で連結された形状となっており、この部分はケーブルＣが載置されて支持される前記支持部１３を構成している。なお、前記支持部１３は幅方向の中央が最も低い凹んだ形状となっており、支持されるケーブルＣはこの部分に収まり易いようになっている。
【００４７】
更に、前記引出支持具１１の当接部１４は、一方の線材である前記異形筋線材５に前記固定部１２が固定された状態で、他方の線材である受具２の親筋線材３ａの前面と当接することにより、前記支持部１３にケーブルＣの荷重が加わることによって前記固定部１２を支点として引出支持具１１全体が下方に回動し、それに伴って該支持部１３も下方に回動するのを防止して、前記支持部１３が受具２から斜め下方に突出した所定の位置に保持されるようになっている。
【００４８】
このように、第一実施形態の引出装置１は、受具２と引出支持具１１とで構成されている。前記受具２は、断面円形状の金属線材を溶接して網状に形成され、底壁６と側壁７とを備えており、前記側壁７には引出口８が形成され、該側壁７の上端部には、両側面が平行面に形成された異形筋線材５が受具２の長手方向に配設されている。また、前記引出支持具１１は、隣合う線材のうち、一方の線材である前記異形筋線材５に固定されるフック状の固定部１２と、前記受具２の底壁６におけるケーブルＣの布設面より下方でかつ側方に突出した位置において、前記受具２の引出口８から引き出されたケーブルＣを支持する支持部１３と、他方の線材である、前記受具２の幅方向において前記引出口８側の端部に長手方向に配設された親筋線材３ａに当接する当接部１４とを備えている。そして、前記当接部１４は、前記異形筋線材５に前記固定部１２が取付けられた状態で、前記支持部１３に前記ケーブルＣの荷重が加わることによって該支持部１３が前記固定部１２を支点に下方に回動するのを防止して、前記支持部１３を所定位置に保持するように当接するものとなっている。
【００４９】
次に、このように構成された本実施形態の引出支持具１１を受具２の側壁７の引出口８に取付け、固定するには、斜め水平姿勢の状態で前記引出口８の両側の子筋線材４間に引出支持具１１のＵ字状に屈曲する左右一対のフック状の固定部１２を外方から挿入する。次いで、引出支持具１１を下方に回動しつつ、前記左右一対の固定部１２を異形筋線材５に上方から嵌挿させる。そして、その嵌挿操作と同時に、引出支持具１１を更に下方に回動し、左右一対の当接部１４を受具２の引出口８の親筋線材３ａの前面に当接させる。
【００５０】
なお、一対の固定部１２の幅が引出口８の両側の子筋線材４の間隔より大きい場合は、前記一対の固定部１２は前記子筋線材４の外側から受具２の側壁７内に挿入すればよい。また、前記引出支持具１１の一対の固定部１２の間隔は弾性的に拡張または縮小可能であるから、一対の固定部１２の間隔と両側の子筋線材４の間隔とが全く同一であっても、前記固定部１２の間隔を弾性的に変位させることにより、前記固定部１２を異形筋線材５に取付けることができる。
【００５１】
このようにして異形筋線材５に取付けた後は、一対の固定部１２は両側に配設されている子筋線材４の間隔と略同一幅に形成されていることによって、引出支持具１１が前記異形筋線材５に沿って長手方向にずれるのが防止され、一定位置に保持される。
【００５２】
また、前記異形筋線材５の幅方向の両側面は平行面に形成されているので、前記フック状の固定部１２の内面は前記異形筋線材５の両側面の平行面と面接触し、前記固定部１２は一定の垂直姿勢に保持される。なお、引出支持具１１は、予め、固定部１２が異形筋線材５に嵌挿されるとほぼ同時に、当接部１４が親筋線材３ａの前面に当接するように設定しておくことが必要である。その後は、プライヤ、ペンチ等の挟持工具を使用して前記固定部１２のフック状の部分を挟んで締付け、前記固定部１２を異形筋線材５にかしめる。なお、図１及び図３において、引出支持具１１のフック状の固定部１２は異形筋線材５にかしめる前の状態を示す。
【００５３】
これにより、引出支持具１１の取付けが完了する。取付後は、引出支持具１１は当接部１４によって固定部１２を支点として下方に回動するのが防止され、引出支持具１１の支持部１３は受具２の底壁６より下方であって側方に突出した所定位置に保持されることになる。また、前述のように、前記異形筋線材５の両側面は平行面に形成されているので、引出支持具１１の固定部１２は一定の垂直姿勢に保持される。したがって、前記引出支持具１１の支持部１３は、この引出支持具１１に当接部１４が設けられていることに加え、前記異形筋線材５の両側面が平行面に形成されていることによっても、前述した受具２の底壁６より下方であって側方に突出した所定位置に保持されることになる。
【００５４】
次に、本実施形態の引出装置１において、受具２からのケーブルＣの引出しは、図３に示すように、ケーブルＣを受具２の側壁７の引出口８から外方に引出した後、引出支持具１１の支持部１３上に載置することにより行なわれる。載置後は、前記支持部１３が下方に湾曲する円弧状に形成されているので、ケーブルＣは前記支持部１３の中央寄りの位置に移動してその部分に収まり易い。その後、結束バンド６１でケーブルＣを支持部１３上に結束し、固定する。
【００５５】
次に、前記引出支持具１１の作用を説明する。
前記引出支持具１１を受具２に取付けた後の支持部１３は、受具２の布設面である底壁６より下方にあって側方に突出する位置にあるので、前記受具２の引出口８から引き出されて前記支持部１３上に支持されたケーブルＣは前記引出支持具１１の支持部１３が受具２の底壁６より斜め下方に突出する分だけ前記引出口８から緩やかな曲線を描いて下方に垂下する。これにより、ケーブルＣがその自重により受具２の引出口８において急激に屈曲し、折れ曲がるのが防止される。
【００５６】
また、他方の線材である受具２の幅方向端部側にある１本の親筋線材３ａに加わる１乃至複数のケーブルＣの荷重は、前記１本の親筋線材３ａと、引出支持具１１が取付けられている一方の線材である異形筋線材５とに分散されるので、ケーブルＣの荷重が集中的に加わることによる前記親筋線材３ａの変形が防止される。
【００５７】
ここで、前記引出支持具１１の支持部１３が所定位置に保持される点について補足すれば、前記支持部１３は固定部１２を通る垂直線より外方に突出するので、引出支持具１１には前記固定部１２を支点としてケーブルＣの荷重による下方に回動するモーメントが発生する。これに対して、前記引出支持具１１の当接部１４は引出口８の親筋線材３ａと当接してその反力を受けるので、反力によるモーメントが発生する。この反力によるモーメントは前記荷重によるモーメントと釣り合うものである。したがって、この釣り合いにより、引出支持具１１の支持部１３は前記受具２の底壁６より下方であって側方に突出した所定位置に保持されることになる。
【００５８】
更に、前記引出支持具１１は、受具２の外方からその側壁に取付けられるものであるため、受具２の底壁６にケーブルＣが既に布設されていても、その影響を受けることなく該受具２に取付けることができる。
【００５９】
また、前記引出支持具１１は、受具２の底壁６の外方に突出しているので、受具２への取付後に受具２の底壁６上にケーブルＣを布設する際に、前記引出支持具１１の存在が支障となることはない。このことは、後述する第二実施形態及び第三実施形態において同様である。
【００６０】
そして、前記引出支持具１１は、金属線材で形成されているから、ケーブルＣを結束バンド６１で結束して簡単に支持部１３の一定位置に保持し、固定することができる。
【００６１】
なお、前記引出支持具１１は、例えば、図４に示すように、固定部１２から垂下して一旦斜め後方に屈曲する部分と、当接部１４から直交して外方に屈曲して側方に突出する部分との間に補強棒１５を架設してもよい。これにより、前記当接部１４と側方に突出する部分との間の屈曲角度は一定の直角に保たれ、前記屈曲角度がケーブルＣの荷重によって拡大して支持部１３の位置が下がるのが防止される。
【００６２】
ところで、上記実施形態においては、引出支持具１１は固定部１２が一方の線材として異形筋線材５に固定されるものを示したが、これに限られるものではなく、例えば、図５に示すように、一方の線材として引出支持具１１の底壁６の中央寄りの親筋線材３ｂに固定されるものとすることもできる。
【００６３】
図５において、引出支持具２１は受具２の底壁６の親筋線材３に直交して、うち２本の親筋線材３ａ及び親筋線材３ｂに跨って取付けられるものであり、１本の断面円形状の金属線材を折曲げ加工して左右対称に形成されている。前記引出支持具２１は、一方の線材である中央寄りの親筋線材３ｂに固定される左右一対の固定部２２と、前記受具２の底壁６より下方であって側方に突出した位置において、前記受具２から引き出されたケーブルＣを支持する支持部２３と、他方の線材である幅方向端部側の親筋線材３ａに当接する左右一対の当接部２４とを備えている。
【００６４】
更に具体的には、前記引出支持具２１の固定部２２はＵ字状に屈曲するフックからなり、図１乃至図４に示す引出支持具１１と同様に、その屈曲した端部側にかしめ代ｔが設けられており、側方から前記中央寄りの親筋線材３ｂに嵌挿された後、工具を使用してかしめられるようになっている。前記支持部２３は、前述の引出支持具１１の支持部１３と同様に構成されている。また、前記当接部２４は前記親筋線材３ａの上面に当接するようになっている。前記固定部２２と当接部２４との間の金属線材は受具２の底壁６に平行に配置され、その上端は親筋線材３上に配設された子筋線材４の上端と略同一高さとなっており、底壁６の子筋線材４より上に飛び出ないので、前記引出支持具２１の存在がケーブルＣの引き込み等において妨げとなることはない。
【００６５】
そして、前記引出支持具２１の当接部２４は、受具２の中央寄りの親筋線材３ｂに前記固定部２２が取付けられた状態で、受具２の親筋線材３ａの上面と当接することにより、前記支持部２３にケーブルＣの荷重が加わることによって前記固定部２２を支点として引出支持具２１全体が下方に回動し、それに伴って該支持部２３も下方に回動するのを防止する。これにより、前記支持部２３は底壁６より下方であって側方に突出した所定位置に保持されることとなる。
【００６６】
この引出支持具２１においても、支持部２３が前記所定位置に保持され、ケーブルＣは前記受具２の引出口８から緩やかに湾曲して下方に引き出され、急激に屈曲するのが防止される。
【００６７】
〈第二実施形態〉
次に、本発明の第二実施形態の配線・配管材の引出支持具を図６及び図７に基づいて説明する。前記第一実施形態は、ケーブルＣは受具２の側壁７に形成された引出口８から引き出されるものを示したが、ケーブルＣは前記受具２の底壁６から直接下方に引き出すことも可能であり、それに対応して、第二実施形態は、受具２の底壁６側に取付けられる引出支持具を示す。ここで、図６は第二実施形態の配線・配管材の引出装置の斜視図、図７はその側面図である。
【００６８】
図６及び図７において、引出支持具３１は、第一実施形態の引出支持具１１等と異なって、受具２の底壁６の２本の子筋線材４に跨って取付けられ、受具２の長手方向に沿って固定されるものであり、１本の断面円形状の金属線材を折曲げ加工して左右対称に形成されている。一方、受具２に載置されているケーブルＣは底壁６に形成された引出口８から直接下方に引き出される。また、請求項の一方の線材は前記引出口８から離間した２番目の子筋線材４ａが該当し、他方の線材は前記引出口８に隣接する１番目の子筋線材４ｂが該当する。
【００６９】
前記引出支持具３１は、前記２番目の子筋線材４ａに固定される左右一対の固定部３２と、前記受具２の引出口８を形成する子筋線材４ａと子筋線材４ｂとの間でかつ受具２の底壁６におけるケーブルＣの布設面より下方において、即ち受具２の長手方向において斜め下方に突出した位置において、前記受具２から引き出されたケーブルＣを支持する支持部３３と、前記１番目の子筋線材４ｂの上面に当接する左右一対の当接部３４とを備えている。
【００７０】
更に具体的には、前記引出支持具３１の固定部３２はＵ字状に屈曲してフック状に形成され、その屈曲した端部側にかしめ代ｔが設けられており、底壁６と平行する方向から前記２番目の子筋線材４ａに嵌挿した後、工具を使用してかしめられるようになっている。そして、前記一対の固定部３２間の外側寸法は両側に隣接する親筋線材３間の内側寸法と同一または僅かに小さく設定されている。前記支持部３３は、前述の引出支持具１１の支持部１３と同様に構成されている。更に、前記当接部３４は前記１番目の子筋線材４ｂの上面に当接するようになっている。前記引出支持具３１における固定部３２と当接部３４との間の金属線材は受具２の底壁６に沿って長手方向に配置されている。
【００７１】
また、前記引出支持具３１の当接部３４は、前記固定部３２が受具２の２番目の子筋線材４ａに取付けられた状態で、受具２の１番目の子筋線材４ｂと当接することにより、前記支持部３３にケーブルＣの荷重が加わることによって前記固定部３２を支点として引出支持具３１全体が下方に回動し、それに伴って該支持部３３も下方に回動するのを防止している。これにより、前記支持部３３は子筋線材４ａと子筋線材４ｂとの間でかつ受具２の底壁６におけるケーブルＣの布設面より下方の所定位置に保持される。
【００７２】
この引出支持具３１は、支持部３３が底壁６の長手方向において斜め下方に突出した位置に保持されるので、ケーブルＣは第一実施形態と同様に、受具２の引出口８から緩やかに湾曲しつつ下方に引き出され、急激に屈曲するのが防止される。特に、この第二実施形態は、ケーブルＣは、受具２の側方に一旦曲げられて側壁７の引出口８から引き出された後、下方に屈曲し、垂下するものではなく、受具２の底壁６の引出口８から直接下方に引き出されるから、引き出し途中で捩れることはほとんどない。なお、固定部３２と当接部３４との間の金属線材は子筋線材４ａ及び子筋線材４ｂの上面に載置されるが、受具２の長手方向に配置されるので、ケーブルＣの引き込みに格別支障をきたすことはない。
【００７３】
ところで、この第二実施形態においては、前記引出支持具３１はケーブルＣを載置してそのケーブルＣの荷重が直接加わる子筋線材４ａ及び子筋線材４ｂに取付けられているが、図８に示すように、受具２の引出口８を挟む反対側の子筋線材４ｃ及び子筋線材４ｄに取付けることもできる。即ち、ケーブルＣが載置されていない子筋線材に取付けることもできる。
【００７４】
図８において、引出口８から離間した２番目の子筋線材４ｃには引出支持具３１の固定部３２が取付けられ、前記引出口８に隣接した１番目の子筋線材４ｄにはその上面に引出支持具３１の当接部３４が当接する。ここで、前記子筋線材４ｃは請求項の一方の線材に、前記子筋線材４ｄは請求項の他方の線材に相当する。また、引出支持具３１の支持部３３は、前記受具２の引出口８を形成する子筋線材４ｂと子筋線材４ｄとの間でかつ受具２の底壁６におけるケーブルＣの布設面より下方において、ケーブルＣを支持するものとなっている。
【００７５】
引出支持具３１がこの子筋線材４ｃ及び子筋線材４ｄに取付けられた場合は、前記子筋線材４ａ及び子筋線材４ｂ上に載置され、引出口８から下方に引き出されたケーブルＣは、前記子筋線材４ｂから斜め下方に位置することとなる引出支持具３１の支持部３３で支持されるので、前記各実施形態と同様に、受具２の引出口８から緩やかに湾曲して直接下方に引き出され、急激に屈曲するのが防止される。そして、特に、前記子筋線材４ｂに加わるケーブルＣの荷重は、その一部が、結果的に、前記引出支持具３１を介して前記子筋線材４ｃ及び子筋線材４ｄによって負担され、分散されることになるので、前記子筋線材４ｂに加わるケーブルＣの荷重を軽減できる。
【００７６】
〈第三実施形態〉
次に、本発明の第三実施形態の引出支持具を図９及び図１０に基づいて説明する。上記第一実施形態及び第二実施形態における配線・配管材の引出装置は受具２がメッシュタイプのものであるのに対し、第三実施形態の配線・配管材の引出装置は受具がラダータイプのものである。そして、配線・配管材は受具の後述する子桁間から直接下方に引き出されるものとなっている。ここで、図９は第三実施形態の配線・配管材の引出装置の斜視図、図１０はその側面図である。
【００７７】
図９及び図１０において、引出装置４１は、ケーブルＣを収容している受具４２と、前記受具４２に取付けられる引出支持具５１とで構成されている。前記受具４２は、ケーブルＣの布設路に沿って配設された左右一対の親桁４３と、前記親桁４３間に架設され、前記ケーブルＣが載置される子桁４４とで構成されている。前記親桁４３は金属板からなり、断面が略コ字板状に形成されている。また、前記子桁４４は金属材を用いて四角筒状に形成され、布設方向に間隔をおいて配設されている。この引出装置４１では、ケーブルＣは前記子桁４４間から直接下方に引き出される。なお、前記親桁４３は受具４２の側壁４５を、前記子桁４４は受具４２の底壁４６を構成している。
【００７８】
一方、前記引出支持具５１は、基本的には、上記第二実施形態の引出支持具３１と同様の構成となっており、金属線材を折曲げ加工して左右対称に形成され、固定部５２、支持部５３及び当接部５４を備えている。ここで、前記固定部５２は略コ字状に屈曲形成され、その屈曲した端部側にかしめ代ｔが設けられており、工具を使用してかしめられることにより前記受具４２の子桁４４ａに取付けられる。また、前記当接部５４は子桁４４ｂの上面と当接する。そして、前記支持部５３は、前記受具２の引出口４７を形成する子桁４４ｂと子桁４４ｃとの間でかつ受具２の底壁４６におけるケーブルＣの布設面より下方において、ケーブルＣを支持する。なお、この第三実施形態の引出支持具５１は第二実施形態の引出支持具３１とは固定部５２の形状がフック状ではなく、子桁４４ａに対応してコ字状に形成されている点において相違し、また、当接部５４は子筋線材ではなく、子桁４４ｂの上面と当接する点において相違する。ここで、前記受具４２の子桁４４ａは請求項の一方の子桁に、子桁４４ｂは請求項の他方の子桁に相当する。
【００７９】
前記引出装置４１は上記第二実施形態の引出装置１とは基本的には受具が異なるのみであるから、前記第二実施形態の引出装置１と同様に、支持部５３が子桁４４ｂと子桁４４ｃとの間でかつ受具４２の底壁４６におけるケーブルＣの布設面より下方の位置に保持されることにより、ケーブルＣは受具４２の子桁４４間から緩やかに湾曲して直接下方に引き出され、急激に屈曲するのが防止される。なお、この第三実施形態は請求項６乃至請求項９及び請求項１１の態様に相当する。
【００８０】
ところで、上記各実施形態の引出支持具は、１本の金属線材を折り曲げて形成しているが、本発明を実施する場合は、これに限られるものではなく、板材で形成したり、金属線材と板材とを組合わせて形成することもできる。また、合成樹脂材で形成してもよい。そして、各引出支持具は左右対称とし、左右一対の固定部、支持部及び左右一対の当接部で形成しているが、一側のみの固定部、支持部及び一側のみの当接部で形成することも可能である。
【００８１】
更に、上記各実施形態の引出支持具は、支持部の外面を凹凸面としたり、外面にローレット加工を施したり、前記支持部にゴム管等を嵌着するなどの滑り防止手段を設けてもよい。ケーブルＣは結束バンド６１で前記引出支持具の支持部に保持されるので、下方へのずり落ち、横方向へのずれが防止されるが、支持部自体にも前記滑り防止手段を設けることにより、ケーブルＣのずれ防止効果を高めることができる。
【００８２】
なお、上記各実施形態においては、受具はメッシュタイプ及びラダータイプのものに適用し、配線・配管材としてケーブルＣを用いているが、本発明を実施する場合は、これらのものに限定して適用されるものではない。
【００８３】
また、上記各実施形態において、引出支持具は、受具の隣合う線材、隣合う子桁に取付けられるが、必ずしもこれに限られるものではなく、１乃至複数個飛ばした線材間、子桁間に取付けてもよい。また、ケーブルＣは、受具の長手方向の途中における引出口８から引き出されているが、受具の長手方向の端部から下方に引き出すものにも同様に適用することができる。
【図面の簡単な説明】
【００８４】
【図１】本発明の第一実施形態の配線・配管材引出装置の斜視図である。
【図２】図１の引出支持具を示し、(a)は斜視図、(b)は左側面図、(c)は正面図である。
【図３】図１の受具からケーブルを引き出した状態を示す斜視図である。
【図４】図２(b)の引出支持具の変形例を示す左側面図である。
【図５】第一実施形態の別の引出支持具を示す左側面図である。
【図６】本発明の第二実施形態の配線・配管材引出装置の斜視図である。
【図７】図６の引出装置を側方から見た縦断面図である。
【図８】図７の引出支持具を他の子筋線材に取付けた状態を示す側面図である。
【図９】本発明の第三実施形態の配線・配管材引出装置の斜視図である。
【図１０】図９の引出装置を側方から見た縦断面図である。
【図１１】従来の、受具からケーブルを引き出した状態を示す斜視図である。
【符号の説明】
【００８５】
１、４１    引出装置
２、４２    受具
３、３ａ、３ｂ    親筋線材
４、４ａ、４ｂ、４ｃ、４ｄ    子筋線材
５    異形筋線材
６、４６    底壁
７、４５    側壁
８、４７    引出口
１１、２１、３１、５１    引出支持具
１２、２２、３２、５２    固定部
１３、２３、３３、５３    支持部
１４、２４、３４、５４    当接部
４３    親桁
４４、４４ａ、４４ｂ、４４ｃ    子桁
Ｃ    ケーブル
【図１】
2008199757.tif 000003
【図２】
2008199757.tif 000004
【図３】
2008199757.tif 000005
【図４】
2008199757.tif 000006
【図５】
2008199757.tif 000007
【図６】
2008199757.tif 000008
【図７】
2008199757.tif 000009
【図８】
2008199757.tif 000010
【図９】
2008199757.tif 000011
【図１０】
2008199757.tif 000012
【図１１】
2008199757.tif 000013